(57)【要約】【課題】モータの駆動力によって、複数種類の筆記芯の選択的な出没が可能な電動多芯筆記具を提供する。【解決手段】  モータの駆動力により筆記芯の出没を可能にした電動多芯筆記具１は、複数の筆記芯３を収容する軸筒と、ユーザによる操作を受け付ける操作部６０と、減速モータ２０の駆動力により筆記芯３を軸筒の先端から出没させると共に、操作部６０が所定の芯送り操作を受け付ける毎に、筆記芯３を所定の順序で一つずつ、軸筒の先端から突出させるように減速モータ２０を駆動させるモータ制御部７０と、を備えている。【選択図】図３
2009292063.tif 000002
【特許請求の範囲】
【請求項１】
モータの駆動力により筆記芯の出没を可能にした電動筆記具において、
複数の前記筆記芯を収容する軸筒と、
ユーザによる操作を受け付ける操作受付手段と、
前記モータの駆動力により前記筆記芯を前記軸筒の先端から出没させると共に、前記操作受付手段が所定の芯送り操作を受け付ける毎に、前記筆記芯を所定の順序で一つずつ、前記軸筒の先端から突出させるように前記モータを駆動させる筆記芯制御手段と、を備えたことを特徴とする電動多芯筆記具。
【請求項２】
前記筆記芯制御手段は、
前記操作受付手段が、前記複数の筆記芯のすべてを格納するための芯格納操作を受け付けたときには、すべての前記筆記芯を前記軸筒内に埋没させるように前記モータを駆動させることを特徴とする請求項１に記載の電動多芯筆記具。
【請求項３】
前記操作受付手段は、
ユーザによる操作を検出する第１及び第２のスイッチを有し、
前記筆記芯制御手段は、
前記第１のスイッチがユーザによる操作を検出した場合には、次順の前記筆記芯を前記軸筒の先端から突出させ、
前記第２のスイッチがユーザによる操作を検出した場合には、すべての前記筆記芯を前記軸筒内に埋没させるように前記モータを駆動させることを特徴とする請求項２に記載の電動多芯筆記具。
【請求項４】
前記操作受付手段は、
ユーザによる操作を受け付けるスイッチを有し、
前記筆記芯制御手段は、
予め定められた第１の操作手順で行われる前記スイッチの操作を前記操作受付手段が検出した場合には、次順の前記筆記芯を前記軸筒の先端から突出させ、
予め定められた第２の操作手順で行われる前記スイッチの操作を前記操作受付手段が検出した場合には、すべての前記筆記芯を前記軸筒内に埋没させるように前記モータを駆動させることを特徴とする請求項２に記載の電動多芯筆記具。
【発明の詳細な説明】
【技術分野】
【０００１】
本発明は、モータの駆動力によって筆記芯の出没を可能にした電動筆記具に係り、複数種類の筆記芯の選択的な出没を可能にする電動多芯筆記具に関するものである。
【背景技術】
【０００２】
従来、このような分野の技術として、特開２００１−１２１８８１号公報がある。この公報に記載された電動筆記具にあっては、ボールペン筆記芯の収納状態においてスイッチを押圧すると、制御回路により小型ＤＣモータの回転軸が回転を開始する。それに伴って回転ネジ棒が回転して摺動ネジ筒が前進する。これによって、ボールペン筆記芯が前進する。そして、摺動ネジ筒が、さらに前進してセンサスイッチのボタン部を押し込むことにより、制御回路を介して小型ＤＣモータの回転を停止させる。また、筆記を終了する場合、スイッチを押圧すると制御回路により、小型ＤＣモータの回転軸が逆転を開始する。それに伴って、回転ネジ棒が回転し、摺動ネジ筒が後退する。これによって、ボールペン筆記芯が後退する。そして、摺動ネジ筒がセンサスイッチのボタン部を押し込むことにより制御回路を介して小型ＤＣモータの回転が停止する。
【特許文献１】特開２００１−１２１８８１号公報
【特許文献２】特開２００１−２３９７８９号公報
【発明の開示】
【発明が解決しようとする課題】
【０００３】
しかしながら、前述した従来の電動筆記具は、一芯すなわち一本の筆記芯の出没をモータの駆動力によって達成させ、単色の筆記のみを可能にしているが、電動筆記具に関しては、近年、１本の筆記具で多色の選択が可能なものが求められている。
【０００４】
本発明は、モータの駆動力によって、複数種類の筆記芯の選択的な出没が可能な電動多芯筆記具を提供することを目的とする。
【課題を解決するための手段】
【０００５】
本発明に係る電動多芯筆記具は、モータの駆動力により筆記芯の出没を可能にした電動筆記具において、複数の筆記芯を収容する軸筒と、ユーザによる操作を受け付ける操作受付手段と、モータの駆動力により筆記芯を軸筒の先端から出没させると共に、操作受付手段が所定の芯送り操作を受け付ける毎に、筆記芯を所定の順序で一つずつ、軸筒の先端から突出させるようにモータを駆動させる筆記芯制御手段と、を備えたことを特徴とする。
【０００６】
この電動多芯筆記具では、ユーザの芯送り操作を操作受付手段で受け付ける毎に、筆記芯出制御手段が、モータの駆動力で筆記芯を所定の順序で一つずつ、軸筒の先端から突出させるようにモータを駆動させる。従って、ユーザは、芯送り操作を必要な回数だけ行うことにより、所望の筆記芯を軸筒の先端から突出させることができる。また、この場合、筆記芯の数よりも操作受付手段のスイッチの数を少なくすることも可能であるので、操作受付手段を簡易化することができる。
【０００７】
また、筆記芯制御手段は、操作受付手段が、複数の筆記芯のすべてを格納するための芯格納操作を受け付けたときには、すべての筆記芯を軸筒内に埋没させるようにモータを駆動させることとしてもよい。
【０００８】
この場合、芯格納操作を受け付けると、筆記芯制御手段が筆記芯のすべてを軸筒内に埋没させるので、ユーザは操作により筆記芯をすべて埋没させることができる。
【０００９】
また、操作受付手段は、ユーザによる操作を検出する第１及び第２のスイッチを有し、筆記芯制御手段は、第１のスイッチがユーザによる操作を検出した場合には、次順の筆記芯を軸筒の先端から突出させ、第２のスイッチがユーザによる操作を検出した場合には、すべての筆記芯を軸筒内に埋没させるようにモータを駆動させることとしてもよい。
【００１０】
この場合、ユーザは、第１又は第２スイッチを操作することで、突出する筆記芯を所定の順序で入れ替えたり、すべての筆記芯を軸筒内に埋没させたりすることができる。
【００１１】
また、操作受付手段は、ユーザによる操作を受け付けるスイッチを有し、筆記芯制御手段は、予め定められた第１の操作手順で行われるスイッチの操作を操作受付手段が検出した場合には、次順の筆記芯を軸筒の先端から突出させ、予め定められた第２の操作手順で行われるスイッチの操作を操作受付手段が検出した場合には、すべての筆記芯を軸筒内に埋没させるようにモータを駆動させることとしてもよい。
【００１２】
この場合、ユーザは、予め定められた操作手順でスイッチを操作することにより、突出する筆記芯を所定の順序で入れ替えたり、すべての筆記芯を軸筒内に埋没させたりすることができる。また、この場合、筆記芯の数よりも操作受付手段のスイッチの数を少なくすることも可能であるので、操作受付手段を簡易化することができる。
【発明の効果】
【００１３】
本発明によれば、モータの駆動力によって、複数種類の筆記芯の選択的な出没が可能になる。
【発明を実施するための最良の形態】
【００１４】
以下、図面を参照しつつ本発明に係る電動多芯筆記具の好適な実施形態について詳細に説明する。なお、ペン先側を「前方側」として以下説明する。
【００１５】
（第１実施形態）
図１〜図３に示すように、電動多芯筆記具１は、前軸２ａと後軸２ｂとキャップ２ｃとからなる軸筒２を有し、前軸２ａの後側に設けられた雄ネジ部と後軸２ｂの前側に設けられた雌ネジ部との螺合によって、前軸２ａと後軸２ｂは連結されている。後軸２ｂの後側に設けられた雄ネジ部とキャップ２ｃの前側に設けられた雌ネジ部との螺合によって、後軸２ｂとキャップ２ｃは連結されている。なお、前軸２ａにグリップを設けてもよい。
【００１６】
軸筒２内には、種類の異なる３本の筆記芯３が収容されている。なお、以下においては、３本の筆記芯３として、赤のインクが入った筆記芯（以下、赤芯）３ｒと、黒のインクが入った筆記芯（以下、黒芯）３ｋと、青のインクが入った筆記芯（以下、青芯）３ｂと、が採用されているものとして説明する。それぞれの筆記芯３は、操作部６０から入力されるユーザからの指示に基づいて、減速モータ２０の駆動力により作動する筆記芯出没機構１０を介して、軸筒２の先端から選択的に出没される。この筆記芯出没機構１０は軸筒２内に収容されている。
【００１７】
軸筒２内において、筆記芯出没機構１０の後方には、減速モータ２０が配置され、減速モータ２０の出力軸２０ａと筆記芯出没機構１０とを連結部３０によって連結している。さらに、軸筒２内において、減速モータ２０の後方には、電源として利用される３個のボタン電池４０が配置され、各ボタン電池４０は直列に接続されている。そして、各ボタン電池４０は、後軸２ｂに対してネジ結合されたキャップ２ｃを外すことで交換可能である。また、このキャップ２ｃには、クリップ５が設けられている。
【００１８】
図２及び図４に示すように、筆記芯出没機構１０は、減速モータ２０の出力軸２０ａに連動し、軸筒２内で回転自在な駆動カム１１と、筆記芯３のそれぞれの後端に固定されると共に、バネ力によって駆動カム１１のカム面１６に付勢された従動面１２ａを有するカムフォロア１２と、カムフォロア１２を駆動カム１１に向けて付勢する螺旋バネ１３とからなる。
【００１９】
駆動カム１１は、軸筒２の内周面に沿って周方向に摺動する円筒状の基部１１ａと、この基部１１ａの端部から軸筒２の先端側に向けて突出する山形状のカム面１６を有するカム本体部１１ｂとからなる。このカム本体部１１ｂは、基部１１ａの端から爪状に突出すると共に、円筒を斜めに切断した形状をなしている。
【００２０】
カムフォロア１２には、Ｖ字状の従動面１２ａと、従動面１２ａに対し直交して延在すると共に、駆動カム１１に向けて突出する舌片１２ｂとが形成され、円弧状の舌片１２ｂの表面とカム本体部１１ｂの裏面とは接触している。さらに、カムフォロア１２には、軸筒２の中心軸線方向に延在する直線状のガイド片１２ｃが設けられ、ガイド片１２ｃは、軸筒２の内周面に形成されたガイド溝２ｄ（図２参照）内を軸筒２の中心軸線方向に移動する。
【００２１】
図２に示すように、螺旋バネ１３の一端はカムフォロア１２の前端に係止され、螺旋バネ１３の他端は、軸筒２内に形成されたバネ受け部１４に係止されている。従って、各螺旋バネ１３のバネ力をそれぞれの筆記芯３に伝達することができ、駆動カム１１のカム面１６にカムフォロア１２の従動面１２ａを常に当接させておくことができる。
【００２２】
この場合、減速モータ２０の出力軸２０ａに連結された駆動カム１１が、減速モータ２０の出力軸２０ａと同じ方向及び同じ回転角度だけ回転すると、山形状をなすカム面１６の頂部１６ａによって、筆記芯３の後端に固定されたカムフォロア１２を、螺旋バネ１３のバネ力に抗して軸筒２の先端側に向けて押圧する。これによって、筆記芯３のペン先３ａが軸筒２の先端から突出し、当該筆記芯３が筆記可能の状態となる。
【００２３】
このような基本動作に基づいて、所望のカムフォロア１２が存在する位置まで駆動カム１１が所望の角度だけ回転して、カム面１６の頂部１６ａも所定角度だけ回転すると、カム面１６の頂部１６ａとカムフォロア１２の頂部１２ｄとが合致し、例えば、赤芯３ｒを軸筒２の先端から突出させることができる。この状態から、駆動カム１１が６０度回転すると、カム面１６の頂部１６ａが、隣接するカムフォロア１２の頂部１２ｄの中間に移動し、赤芯３ｒのペン先３ａが軸筒２内に完全に入り込む。このとき、残りの２つの筆記芯３ｋ，３ｂも、未だ軸筒２内に埋没しているので、すべての筆記芯３のペン先３ａが軸筒２内に格納された状態となる。そして、この状態から更に６０度駆動カム１１が回転すると、赤芯３ｒに隣接する黒芯３ｋが軸筒２の先端から突出する。
【００２４】
以上のような動作を繰り返すことにより、この筆記芯出没機構１０では、駆動カム１１が一方向に６０度ずつ回転する毎に、赤芯３ｒが突出→全ての筆記芯３が埋没→黒芯３ｋが突出→全ての筆記芯３が埋没→赤芯３ｂが突出→全ての筆記芯３が埋没→赤芯３ｒが突出→…といったように、筆記芯３の出没状態を循環して移行させることができる。なお、前軸２ａを外すことにより、筆記芯３は交換できるので、任意に筆記芯３を入れ替えることができ、ペン先３ａの出現の順番をユーザが変えることもできる。
【００２５】
連結部３０は、減速モータ２０の出力軸２０ａにネジによって固定された凸部材３１と、駆動カム１１の底壁に形成された凹部３２とからなる。凸部材３１が凹部３２に嵌合することで、減速モータ２０の出力軸２０ａの回転が、筆記芯出没機構１０の駆動カム１１に確実に伝達される。
【００２６】
続いて、このような電動多芯筆記具１における筆記芯３の出没状態の制御について説明する。なお、以下の説明では、赤芯３ｒのペン先が軸筒２の先端から突出している筆記芯出没状態を「赤芯筆記状態」、黒芯３ｋのペン先が軸筒２の先端から突出している筆記芯出没状態を「黒芯筆記状態」、青芯３ｂのペン先が軸筒２の先端から突出している筆記芯出没状態を「青芯筆記状態」という場合がある。また、すべての筆記芯３ｒ，３ｋ，３ｂのペン先が軸筒２に埋没している筆記芯出没状態を「全芯格納状態」という場合がある。また、赤芯筆記状態と黒芯筆記状態と青芯筆記状態とを総称し、何れかの筆記芯３のペン先が軸筒２の先端から突出している状態を「芯筆記状態」という場合がある。
【００２７】
図３に示すように、電動多芯筆記具１は、ユーザの操作を受け付ける操作部６０と、ユーザの操作に対応する動作を実現するように減速モータ２０を制御するモータ制御部７０を備えている。更に、モータ制御部７０は、モータ制御に必要な情報処理を行う情報処理部８０を備えている。
【００２８】
図２、図３及び図５に示すように、このモータ制御部７０は、減速モータ２０の前端に固定された基板５３上に位置する投受光型のフォトセンサＡ，Ｂと、駆動カム１１の底壁に固定されると共に、反射膜Ｓ１，Ｓ２が所定位置に配置されたエンコーダ５４とからなる位置検出部５５を備えている。例えば、軸筒２内で３種類の筆記芯３を１２０度毎に配置させている場合、図５に示すように、フォトセンサＡ，Ｂは、略１２０度の配置関係にあり、また、反射膜Ｓ１，Ｓ２は、６０度の広がりをもった扇形状をなし、反射膜Ｓ１と反射膜Ｓ２とは６０度離間している。各フォトセンサＡ，Ｂは、それぞれ、対面する位置に反射膜Ｓ１又はＳ２を検出したときに、情報処理部８０に対して所定の検出信号を出力する。
【００２９】
そして、減速モータ２０の出力軸２０ａを矢印Ｙ（図５（Ａ）参照）方向に回転させるとすれば、駆動カム１１も矢印Ｙ方向に回転し、エンコーダ５４も矢印Ｙ方向に回転する。そして、エンコーダ５４が６０度回転する毎に、フォトセンサＡから出力される検出信号とフォトセンサＢとから出力される検出信号とのＯＮ／ＯＦＦの組合せが変化する。以下、フォトセンサＡから出力される検出信号とフォトセンサＢとから出力される検出信号とのＯＮ／ＯＦＦの組合せのことを、「信号組合せ」という。
【００３０】
一方で、情報処理部８０には、上記の信号組合せと、３本の筆記芯３の出没状態と、が関連付けられたセンサ設定情報８１が記憶されている。従って、情報処理部８０は、このセンサ設定情報８１を参照することで、上記信号組合せに基づいて、現在の筆記芯３の出没状態を検知することができる。例えばここでは、情報処理部８０は、信号組合せが「センサＡがＯＮでセンサＢがＯＦＦ」の場合には筆記芯３の出没状態が「赤芯筆記状態」であり、「センサＡがＯＮでセンサＢがＯＮ」の場合には筆記芯３の出没状態が「黒芯筆記状態」であり、「センサＡがＯＦＦでセンサＢがＯＮ」の場合には筆記芯３の出没状態が「青芯筆記状態」であることを検知する。また、信号組合せが「センサＡがＯＦＦでセンサＢがＯＦＦ」の場合には、筆記芯３の出没状態が「全芯格納状態」であることを検知する。
【００３１】
このような構造の位置検出部５５は、電動多芯筆記具１に組み込み易く、簡単な構成をもって駆動カム１１の位置を特定することができ、現在の筆記芯３の出没状態を検知する出没状態検知手段を構成する。モータ制御部７０は、このような位置検出部５５を有することで、目標の出没状態に対応する位置まで筆記芯出没機構１０を駆動する制御が可能になる。
【００３２】
また、ユーザの指示が入力される操作部６０は、第１スイッチ６１と第２スイッチ６２といった２つの押しボタンスイッチを有している。このスイッチ６１，６２は、ユーザの指で押下げられたときにＯＮ状態となり、ユーザが指を離すとバネで復帰しＯＦＦ状態となるタイプのものである。そして、このスイッチ６１，６２は、ＯＮ状態になったときに、情報処理部８０に対して所定のＯＮ信号を出力する。
【００３３】
この操作部６０の第１スイッチ６１が押されると、減速モータ２０が回転し、次順の筆記芯３が軸筒２から突出する。すなわち、第１スイッチ６１が押される度に、軸筒２から突出する筆記芯３が、赤芯３ｒ→黒芯３ｋ→青芯３ｂ→赤芯３ｒ→…と順送りで循環される。従って、ユーザは、必要な回数だけ第１スイッチ６１を押す（芯送り操作）ことで、所望の種類の筆記芯３を突出させることができる。また、第２スイッチ６２が押されると、すべての筆記芯３のペン先が軸筒２に埋没した状態となる。従って、ユーザは、第２スイッチ６２を押す（芯格納操作）ことで、すべての筆記芯３のペン先を軸筒２内に格納させることができる。
【００３４】
また、このスイッチ６１，６２の下には、情報処理基板５２（図２参照）が埋め込まれている。この情報処理基板５２上には、スイッチ６１，６２、フォトセンサＡ，Ｂ、減速モータ２０との間で電気信号授受を行う半導体チップ５２ａが搭載されている。上記の情報処理部８０は、この半導体チップ５２ａが、予め格納された所定のプログラムに従って動作することでソフトウエア的に実現される構成要素である。また、上記のセンサ設定情報８１は、この半導体チップ５２ａの記憶領域に格納される。
【００３５】
電動多芯筆記具１のユーザ操作に応じた上述の動作を実現するための情報処理部８０の処理について図３及び図６を参照し説明する。
【００３６】
ユーザの操作によって、情報処理部８０が第２スイッチ６２からのＯＮ信号を受けた（Ｓ１０１）場合には、情報処理部８０は、筆記芯出没状態を「全芯格納状態」に移行させる処理を行う（Ｓ１０４）。
【００３７】
この処理Ｓ１０４については、図３及び図７を参照しながら更に説明する。まず、情報処理部８０は、減速モータ２０への通電を開始し回転を開始させる（Ｓ２０１）。このとき、減速モータ２０の駆動力によってエンコーダ５４及び駆動カム１１がＹ方向（図５（Ａ）参照）へ回転する。そして、情報処理部８０は、減速モータ２０の回転が継続している間、センサＡ，Ｂの現在の信号組合せを繰り返し検知し（Ｓ２０２）、検知された信号組合せが「全芯格納状態」に対応する信号組合せ（センサＡがＯＦＦでセンサＢがＯＦＦ）に一致するか否かの判断（Ｓ２０３）を繰り返す。そして、検知した信号組合せが「全芯格納状態」に対応する信号組合せに一致したときに、減速モータ２０への通電を停止し回転を停止させる（Ｓ２０４）。
【００３８】
このような処理Ｓ１０４によれば、減速モータ２０の駆動力により、「全芯格納状態」に対応する信号組合せが得られるまで、エンコーダ５４及び駆動カム１１がＹ方向に回転するので、筆記芯出没状態は全芯格納状態に移行する。すなわち、何れかの芯筆記状態から第２スイッチ６２が押されると、エンコーダ５４及び駆動カム１１がＹ方向に６０度回転し全芯格納状態に移行する。また、全芯格納状態から第２スイッチ６２が押されると、エンコーダ５４及び駆動カム１１がＹ方向に１２０度回転し、次の位置の全芯格納状態に移行する。
【００３９】
なお、全芯格納状態から第２スイッチ６２が押された場合には減速モータ２０を駆動しないような処理としてもよい。また、筆記芯出没機構１０によれば、「全芯格納状態」に対応する位置は、駆動カム１１が１回転する間に３箇所現れることになるが、上記処理Ｓ１０４によれば、駆動カム１１が「全芯格納状態」に対応する最初の位置に到達したときに減速モータ２０が停止されることになる。
【００４０】
一方、図６に示すように、ユーザの操作によって、情報処理部８０が第１スイッチ６１からのＯＮ信号を受けた（Ｓ１０２）場合には、情報処理部８０は、筆記芯出没状態を次順の「芯筆記状態」に移行させる処理を行う（Ｓ１０３）。
【００４１】
この処理Ｓ１０３については、図３及び図８を参照しながら更に説明する。まず、情報処理部８０は、センサＡ，Ｂの現在の信号組合せを検知し（Ｓ３０１）、検知された信号組合せが、「芯筆記状態」に対応する信号組合せに一致するか否かを判断する（Ｓ３０２）。ここで、現在の信号組合せが「芯筆記状態」に対応する信号組合せである場合には、減速モータ２０への通電を開始し回転を開始させる（Ｓ３０３）。このとき、減速モータ２０の駆動力によってエンコーダ５４及び駆動カム１１がＹ方向（図５（Ａ）参照）へ回転する。そして、情報処理部８０は、減速モータ２０の回転を継続させながら、センサＡ，Ｂの現在の信号組合せを繰り返し検知し（Ｓ３０４）、検知された信号組合せが、「全芯格納状態」に対応する信号組合せに一致するか否かの判断（Ｓ３０５）を繰り返す。その後、検知された信号組合せが、「全芯格納状態」に対応する信号組合せに一致したときに、後述のＳ３０６に処理を進める。
【００４２】
一方、処理Ｓ３０２において、現在の信号組合せが「芯筆記状態」に対応する信号組合せである場合には、減速モータ２０への通電を開始し回転を開始させ（Ｓ３１０）、後述のＳ３０６に処理を進める。
【００４３】
次に、情報処理部８０は、減速モータ２０の回転が継続している間、センサＡ，Ｂの現在の信号組合せを繰り返し検知し（Ｓ３０６）、検知された信号組合せが、「芯筆記状態」に対応する信号組合せに一致するか否かの判断（Ｓ３０７）を繰り返す。そして、検知した信号組合せが、３種類の「芯筆記状態」の何れかの信号組合せに一致したときに、減速モータ２０への通電を停止し回転を停止させる（Ｓ３０８）。
【００４４】
以上のような処理手順に基づき、電動多芯筆記具１が芯筆記状態にある場合に、このような処理Ｓ１０３が行われると、減速モータ２０の駆動力により、一旦「全芯格納状態」に対応する組合せが得られた後、更に「芯筆記状態」に対応する信号組合せが得られるまで、エンコーダ５４及び駆動カム１１がＹ方向に回転するので、筆記芯出没状態は、Ｙ方向に隣接する次順の筆記芯３が軸筒２から突出した状態に移行する。すなわち、例えば赤芯筆記状態から第１スイッチ６１が押されると、エンコーダ５４及び駆動カム１１がＹ方向に１２０度回転し、黒芯筆記状態に移行する。
【００４５】
また、電動多芯筆記具１が全芯格納状態にある場合に、上記処理Ｓ１０３が行われると、減速モータ２０の駆動力により、次順の「芯筆記状態」に対応する信号組合せが得られるまで、エンコーダ５４及び駆動カム１１がＹ方向に回転するので、筆記芯出没状態は、Ｙ方向に隣接する次順の筆記芯３が軸筒２から突出した状態に移行する。すなわち、全芯格納状態から第１スイッチ６１が押されると、エンコーダ５４及び駆動カム１１がＹ方向に６０度回転し、Ｙ方向に隣接する何れかの芯筆記状態に移行する。
【００４６】
以上のように、この電動多芯筆記具１のユーザは、操作部６０の操作によって、軸筒２の先端から筆記芯３を突出させたり、突出する筆記芯３の種別を変更したり、すべての筆記芯３を軸筒２内に格納させたりすることが可能である。
【００４７】
また、この電動多芯筆記具１では、筆記芯出没機構１０の駆動カム１１を一方向に回転させることで、すべての筆記芯出没状態への移行が可能である。従って、駆動カム１１を逆回転させる必要がなく、この電動多芯筆記具１では、一方向にのみ回転可能な安価な減速モータ２０を採用することができる。また、上述した情報処理部８０の処理によれば、操作部６０の２つのスイッチ６１，６２により、４種類の筆記芯出没状態をユーザに選択させることができる。従って操作部６０のスイッチ数を２つに抑え、操作部６０の簡略化が図られる。
【００４８】
（第２実施形態）
図９に示す電動多芯筆記具１０１は、電動多芯筆記具１における操作部６０及び情報処理部８０に代えて、操作部１６０及び情報処理部１８０を備えている。操作部１６０は、１つの押しボタンスイッチ９１を有している。そして、予め定められた手順で行われる押しボタンスイッチ９１のスイッチ操作が、電動多芯筆記具１０１の動作に対応付けられている。具体的には、このスイッチ９１が所定の時間よりも短く１回だけ押されると（第１の操作手順；以下「短押し操作」という）、減速モータ２０が回転し、次順の筆記芯３が軸筒２から突出する。すなわち、スイッチ９１の短押し操作が行われる度に、軸筒２から突出する筆記芯３が、赤芯３ｒ→黒芯３ｋ→青芯３ｂ→赤芯３ｒ→…と順送りされる。従って、ユーザは、必要な回数だけスイッチ９１の短押し操作（芯送り操作）を行うことで、所望の色の筆記芯３を突出させることができる。
【００４９】
また、スイッチ９１が所定の時間以上長く押し続けられると（第２の操作手順；以下「長押し操作」という）、すべての筆記芯３のペン先が軸筒２に埋没した状態となる。従って、ユーザは、スイッチ９１の長押し操作（芯格納操作）を行うことで、すべての筆記芯３のペン先を軸筒２内に格納させることができる。このようなスイッチ操作手順と、実現される動作との対応関係は予め設定され、操作手順設定情報１８２として情報処理部１８０に記憶されている。
【００５０】
電動多芯筆記具１０１のこのような動作を実現するための情報処理部１８０の処理について図９及び図１０を参照し説明する。
【００５１】
ユーザの操作によって、情報処理部１８０がスイッチ９１からのＯＮ信号を受けた（Ｓ５０１）場合には、所定時間のウエイト処理（Ｓ５０２）を経た後、更にスイッチ９１からのＯＮ信号が継続しているか否かを判定する（Ｓ５０３）。このような処理Ｓ５０２，Ｓ５０３が最大で合計３回繰り返される。
【００５２】
そして、処理Ｓ５０２，Ｓ５０３を３回繰り返した時点で、スイッチ９１からのＯＮ信号が継続している場合には、ユーザの操作が「スイッチ９１の長押し操作」であったことを意味する。従ってこの場合、情報処理部１８０は、操作手順設定情報１８２を参照し、筆記芯出没状態を「全芯格納状態」に移行させる処理を行う（Ｓ１０４）。この処理Ｓ１０４の詳細は、図７において既に説明した通りである。
【００５３】
一方、繰り返される上記処理Ｓ５０３の何れかにおいて、スイッチ９１からのＯＮ信号が一旦途切れた（ＯＦＦになった）と判定された場合には、ユーザの操作は「スイッチ９１の短押し操作」であったことを意味する。従って、情報処理部１８０は、操作手順設定情報１８２を参照し、筆記芯出没状態を次順の「芯筆記状態」に移行させる処理を行う（Ｓ１０３）。この処理Ｓ１０３の詳細は、図８において既に説明した通りである。
【００５４】
以上のように、この電動多芯筆記具１０１のユーザは、操作部６０の操作によって、軸筒２の先端から筆記芯３を突出させたり、突出する筆記芯３の種別を変更したり、すべての筆記芯３を軸筒２内に格納させたりすることが可能である。
【００５５】
また、上述した情報処理部１８０の処理によれば、操作部１６０の１つのスイッチ９１により、４種類の筆記芯出没状態をユーザに選択させることができる。従って、操作部１６０のスイッチ数を１つに抑え、操作部１６０の簡略化が図られる。この電動多芯筆記具１０１において、前述の電動多芯筆記具１と同一又は同等の構成については、図面に同一符号を付し重複する説明を省略する。
【００５６】
（第３実施形態）
前述した処理手順によって理解されるように、筆記芯出没状態を次順の「芯筆記状態」に移行させる処理（Ｓ１０３；図８）、及び筆記芯出没状態を「全芯格納状態」に移行させる処理（Ｓ１０４；図７）を行うためには、現在の筆記芯出没状態が、「芯筆記状態」であるか「全芯格納状態」であるかさえ区別可能であればよい。この考察に基づき、電動多芯筆記具１，１０１は、位置検出部５５に代えて、図１１に示すような簡略化された位置検出部１５５を備えてもよい。
【００５７】
図１１に示すように、位置検出部１５５は、減速モータ２０の前端に固定された基板５３（図２参照）上に位置する投受光型のフォトセンサＣと、駆動カム１１（図２参照）の底壁に固定されると共に、反射膜Ｓ１１，Ｓ１２，Ｓ１３が所定位置に配置されたエンコーダ１５４を備えている。例えば、軸筒２内で３種類の筆記芯３を１２０度毎に配置させている場合、図１１に示すように、反射膜Ｓ１１，Ｓ１２，Ｓ１３は、６０度の広がりをもった扇形状をなし、反射膜Ｓ１１、反射膜Ｓ１２、及び反射膜Ｓ１３は、それぞれ６０度ずつ離間している。フォトセンサＣは、それぞれ、対面する位置に反射膜Ｓ１１、Ｓ１２又はＳ１３を検出したときに、情報処理部８０に対して所定の検出信号を出力する。
【００５８】
そして、減速モータ２０の出力軸２０ａを矢印Ｙ（図１１（Ａ）参照）方向に回転させるとすれば、駆動カム１１も矢印Ｙ方向に回転し、エンコーダ１５４も矢印Ｙ方向に回転する。そして、エンコーダ１５４が６０度回転する毎に、フォトセンサＣから出力される検出信号のＯＮ／ＯＦＦが変化する。従って、検出信号のＯＮ／ＯＦＦを、筆記芯３の出没状態「芯筆記状態」／「全芯格納状態」に関連づけることができ、情報処理部８０は、上記検出信号のＯＮ／ＯＦＦに基づいて、現在の筆記芯３の出没状態が「芯筆記状態」であるか「全芯格納状態」であるかを区別して検知することができる。例えばここでは、情報処理部８０は、フォトセンサＣからの検出信号がＯＮの場合には筆記芯３の出没状態が「芯筆記状態」であり、フォトセンサＣからの検出信号がＯＦＦの場合には筆記芯３の出没状態が「全芯格納状態」であることを検知する。
【００５９】
前述した第１及び第２実施形態の位置検出部５５は、赤芯筆記状態、黒芯筆記状態、青芯筆記状態、及び全芯格納状態の４種類の筆記芯出没状態を区別可能な機構として、２個のフォトセンサＡ，Ｂを有している。これに対して、この位置検出部１５５では、「芯筆記状態」と「全芯格納状態」との２種類の筆記芯出没状態のみを区別すべく、フォトセンサを１個に減らすことができる。従って、電動多芯筆記具１，１０１に位置検出部１５５を採用することにより、部品点数の減少を図り、電動多芯筆記具１，１０１のコストダウンを図ることができる。
【００６０】
本発明は、上記実施形態に限定されるものではない。例えば、実施形態では減速モータ２０の出力軸は一方向にのみ回転させることとしているが、双方向回転可能なモータを採用し、適宜、駆動カム１１を逆回転させて筆記芯出没状態を変更させるようにしてもよい。また、モータは、ステッピングモータであってもよい。また、位置検出部５５，１５５に用いられるセンサはフォトセンサに限定されず、位置検出部５５，１５５には、フォトセンサＡ，Ｂ，Ｃに代えて、近接スイッチ、リミットスイッチ等を適宜用いることができる。
【図面の簡単な説明】
【００６１】
【図１】本発明に係る電動多芯筆記具の第１実施形態を示す断面図である。
【図２】図１の拡大断面図である。
【図３】図１の電動多芯筆記具の各機能的要素を示すブロック図である。
【図４】筆記芯出没機構を示す斜視図である。
【図５】（Ａ）は位置検出部を示す概略図であり、（Ｂ）はフォトセンサＡ，Ｂのオン／オフを示すタイミングチャートである。
【図６】図１の電動多芯筆記具における情報処理部の処理を示すフローチャートである。
【図７】図６に示される処理の一部の詳細を示すフローチャート図である。
【図８】図６に示される処理の他の一部の詳細を示すフローチャート図である。
【図９】本発明に係る電動多芯筆記具の第２実施形態を示すブロック図である。
【図１０】図９の電動多芯筆記具における情報処理部の処理を示すフローチャートである。
【図１１】（Ａ）本発明の電動多芯筆記具の第３実施形態に係る位置検出部を示す概略図であり、（Ｂ）はフォトセンサＣのオン／オフを示すタイミングチャートである。
【符号の説明】
【００６２】
１，１０１…電動多芯筆記具、２…軸筒、３…筆記芯、３ｒ…赤芯、３ｋ…黒芯、３ｂ…青芯、１０…筆記芯出没機構、２０…減速モータ、６０，１６０…操作部（操作受付手段）、６１…第１スイッチ、６２…第２スイッチ、７０…モータ制御部（筆記芯制御手段）、９１…スイッチ。
【図１】
2009292063.tif 000003
【図２】
2009292063.tif 000004
【図３】
2009292063.tif 000005
【図４】
2009292063.tif 000006
【図５】
2009292063.tif 000007
【図６】
2009292063.tif 000008
【図７】
2009292063.tif 000009
【図８】
2009292063.tif 000010
【図９】
2009292063.tif 000011
【図１０】
2009292063.tif 000012
【図１１】
2009292063.tif 000013